(57)【要約】【課題】  人感センサーの電源電圧の変動を抑制して誤検出を抑制する。【解決手段】  人感センサー基板２１には人感センサー５が実装されており、人感センサー電源基板４２は、人感センサー５の駆動電圧を生成する。中継基板２２は、人感センサー電源基板４２と人感センサー基板２１との間の電源ライン４４およびグランドライン４５を中継している。人感センサー電源基板４２および中継基板２２は、それぞれ、フレームグランド４３に電気的に接続されている。中継基板２２は、人感センサー基板２１以外の別の内部装置を駆動する駆動回路３１と、フレームグランド４３に電気的に接続されたグランド配線３２とを備え、グランド配線３２を介して駆動回路３１の導通電流をフレームグランド４３に排出しており、グランドライン４５をグランド配線３２に接続せずに中継する。【選択図】  図２
2020025236.tif 000002
【特許請求の範囲】
【請求項１】
人感センサーが実装された人感センサー基板と、
前記人感センサーの駆動電圧を生成する人感センサー電源基板と、
前記人感センサー電源基板と前記人感センサー基板との間の電源ラインおよびグランドラインを中継する中継基板とを備え、
前記人感センサー電源基板および前記中継基板は、それぞれ、フレームグランドに電気的に接続され、
前記中継基板は、（ａ）前記人感センサー基板以外の別の内部装置を駆動する駆動回路と、前記フレームグランドに電気的に接続されたグランド配線とを備え、前記グランド配線を介して前記駆動回路の導通電流を前記フレームグランドに排出しており、（ｂ）前記人感センサー電源基板と前記人感センサー基板との間の前記グランドラインを前記グランド配線に接続せずに中継すること、
を特徴とする人体検知装置。
【請求項２】
前記駆動回路の導通電流は、前記駆動回路の動作状態に応じて変化し、前記フレームグランドからみた前記グランド配線の電位を変動させ、
前記中継基板での前記グランドラインの電位は、前記駆動回路の動作状態に応じて変化しないこと、
を特徴とする請求項１記載の人体検知装置。
【請求項３】
前記人感センサー基板は、前記フレームグランドには直接的に接続されていないことを特徴とする請求項１または請求項２記載の人体検知装置。
【請求項４】
請求項１から請求項３のうちのいずれか１項記載の人体検知装置と、
操作パネルと備え、
前記中継基板の駆動回路は、前記操作パネルを駆動すること、
を特徴とする画像形成装置。
【発明の詳細な説明】
【技術分野】
【０００１】
本発明は、人体検知装置および画像形成装置に関するものである。
【背景技術】
【０００２】
ある画像形成装置は、焦電センサーとその焦電センサーが実装されたプリント基板とを備えた人感センサーで、人を検知している（例えば特許文献１参照）。
【先行技術文献】
【特許文献】
【０００３】
【特許文献１】特開２０１６−５７３３１号公報
【発明の概要】
【発明が解決しようとする課題】
【０００４】
図３は、上述のような人感センサー基板への電源電力供給について説明するブロック図である。図３に示すように、人感センサー１０１が実装された人感センサー基板１２１に対して人感センサー電源基板１２２から電源電力が供給される場合において、中継基板１２３が、両者間の電源ラインＶｃｃ２およびグランドラインＧＮＤを中継することがある。そのような中継基板１２３は、通常、他の内部装置を駆動する駆動回路１３１を備えている。
【０００５】
また、そのような人感センサー電源基板１２２および中継基板１２３はフレームグランド１２４に接続されており、中継基板１２３が比較的長いハーネスを介して電源供給を受けている場合、駆動回路１３１の導通電流の全部または一部がグランド配線を介してフレームグランド１２４に排出される。
【０００６】
通常、上述のグランドラインＧＮＤは、中継基板１２３内のグランド配線に接続されているため、中継基板１２３とフレームグランド１２４との間の接触抵抗やフレームグランド１２４内での抵抗などのフレームグランド抵抗Ｒｆｇに起因して、駆動回路１３１の導通電流に応じた電圧だけグランドラインＧＮＤの電位がフレームグランド１２４の電位からズレてしまう。人感センサー１０１のセンサー信号は、通常、数百〜数千倍の増幅度で増幅されるため、人感センサー１０１の電源電圧の微小な変動でも、増幅後のセンサー信号のレベル変動は大きくなってしまう。
【０００７】
したがって、このグランドラインＧＮＤの電位変動に起因して人感センサー１０１の電源電圧が変動するため、人感センサー１０１の誤検出が発生する可能性がある。
【０００８】
本発明は、上記の問題に鑑みてなされたものであり、人感センサーの電源電圧の変動を抑制して誤検出を抑制する人体検知装置および画像形成装置を得ることを目的とする。
【課題を解決するための手段】
【０００９】
本発明に係る人体検知装置は、人感センサーが実装された人感センサー基板と、前記人感センサーの駆動電圧を生成する人感センサー電源基板と、前記人感センサー電源基板と前記人感センサー基板との間の電源ラインおよびグランドラインを中継する中継基板とを備える。前記人感センサー電源基板および前記中継基板は、それぞれ、フレームグランドに電気的に接続されている。そして、前記中継基板は、（ａ）前記人感センサー基板以外の別の内部装置を駆動する駆動回路と、前記フレームグランドに電気的に接続されたグランド配線とを備え、前記グランド配線を介して前記駆動回路の導通電流を前記フレームグランドに排出しており、（ｂ）前記人感センサー電源基板と前記人感センサー基板との間の前記グランドラインを前記グランド配線に接続せずに中継する。
【００１０】
本発明に係る画像形成装置は、上述の人体検知装置と、操作パネルと備え、前記中継基板の駆動回路は、前記操作パネルを駆動する。
【発明の効果】
【００１１】
本発明によれば、人感センサーの電源電圧の変動を抑制して誤検出を抑制する人体検知装置および画像形成装置が得られる。
【００１２】
本発明の上記又は他の目的、特徴および優位性は、添付の図面とともに以下の詳細な説明から更に明らかになる。
【図面の簡単な説明】
【００１３】
【図１】図１は、本発明の実施の形態に係る画像形成装置の構成を示すブロック図である。
【図２】図２は、図１に示す画像形成装置における人感センサー基板２１への電源電力供給について説明するブロック図である。
【図３】図３は、人感センサー基板への電源電力供給について説明するブロック図である。
【発明を実施するための形態】
【００１４】
以下、図に基づいて本発明の実施の形態を説明する。
【００１５】
図１は、本発明の実施の形態に係る画像形成装置の構成を示すブロック図である。図１に示す画像形成装置１０は、プリンター、複合機などの印刷機能を有する装置であり、人体検知機能を有する。つまり、この画像形成装置１０は、人体検知装置を内蔵している。
【００１６】
図１に示す画像形成装置１０は、プリント装置１、画像読取装置２、操作パネル３、コントローラー４、および人感センサー５を備える。
【００１７】
プリント装置１は、操作パネル３に対するユーザー操作に従って画像データに基づいて原稿などの印刷を実行する。画像読取装置２は、操作パネル３に対するユーザー操作に従って原稿などの原稿画像を光学的に読み取り画像データを生成する。
【００１８】
操作パネル３は、当該画像形成装置１０の筐体表面に設置され、入力装置１１および表示装置１２を備える。入力装置１１は、ユーザー操作を検出するタッチパネル、ハードキーなどである。表示装置１２は、各種情報をユーザーに対して表示する液晶ディスプレイ、インジケーターなどである。
【００１９】
例えば、操作パネル３（表示装置１２）には操作画面が表示され、ユーザーは、コピー要求のユーザー操作を操作パネル３（入力装置１１）に対して行うと、プリント装置１および画像読取装置２によってコピーが実行される。
【００２０】
コントローラー４は、例えばコンピューターやＡＳＩＣ（Application Specific Integrated Circuit）であって、操作パネル３で検出されたユーザー操作に従って、プリント装置１および画像読取装置２を使用してコピーなどを実行する。
【００２１】
また、コントローラー４は、人感センサー５のセンサー出力信号を取得し、取得したセンサー出力信号に基づき人体動作が検知されると、所定の動作（例えばスリープ状態から通常状態への復帰）を実行する。なお、コントローラー４は、当該画像形成装置１０の起動後、所定の条件（所定長の無操作時間の検出など）で、当該画像形成装置１０の動作状態を通常状態からスリープ状態（省電力モード）に移行させる。スリープ状態では、操作パネル３を消灯したり、内部装置の一部への電力供給を停止したりする。
【００２２】
人感センサー５は、当該画像形成装置１０の操作パネル３の前に訪れたユーザーの人体検知を行う。例えば焦電センサー、赤外線センサーなどが人感センサー５として使用される。
【００２３】
人感センサー５は人感センサー基板２１に実装されている。なお、人感センサー基板２１は、フレームグランド４３には直接的に接続されていない。
【００２４】
また、コントローラー４は、中継基板２２を介して、操作パネル３などの内部装置を制御している。
【００２５】
図２は、図１に示す画像形成装置における人感センサー基板２１への電源電力供給について説明するブロック図である。
【００２６】
図２に示すように、当該画像形成装置は、さらに、中継基板２２、電源基板４１、人感センサー電源基板４２、およびフレームグランド４３を備える。
【００２７】
電源基板４１には、電源回路５１が実装されており、電源回路５１は、コントローラー４などの制御用の電源電圧Ｖｃｃ１（例えば５ボルト）を生成する。
【００２８】
人感センサー電源基板４２は、人感センサー５の駆動電圧Ｖｃｃ２を生成する。人感センサー電源基板４２には、ＤＣ／ＤＣコンバーター５２が実装されており、ＤＣ／ＤＣコンバーター５２は、電源電圧Ｖｃｃ１から駆動電圧Ｖｃｃ２（例えば３．３ボルト）を生成する。
【００２９】
中継基板２２は、人感センサー電源基板４２と人感センサー基板２１との間の電源ライン４４およびグランドライン４５を中継する。電源ライン４４およびグランドライン４５は、基板間ではハーネスであり、基板内では配線パターンなどである。なお、人感センサー電源基板４２と中継基板２２との間のグランドライン４６が別途設けられている。
【００３０】
人感センサー電源基板４２および中継基板２２は、それぞれ、フレームグランド４３に電気的に接続されている。なお、フレームグランド４３は、当該画像形成装置の筐体内の金属フレームなどである。
【００３１】
また、中継基板２２は、人感センサー基板２１以外の別の内部装置（操作パネル３や図示せぬスピーカーなど）を駆動する駆動回路３１と、フレームグランド４３に電気的に接続されたグランド配線３２とを備え、グランド配線３２を介して駆動回路３１の導通電流をフレームグランド４３に排出している。なお、駆動回路３１は、コントローラー４と通信し、コントローラー４からの制御信号に従ってその内部装置を制御し駆動する。また、この実施の形態では、駆動回路３１には、電源基板４１の電源電圧Ｖｃｃ１が印加されている。また、中継基板２２には、人感センサー基板２１から人感センサー５のセンサー信号を受け付け、そのセンサー信号を数百〜数千倍の増幅度で増幅し、増幅後のセンサー信号をコントローラー４に送信する通信回路が設けられていてもよい。
【００３２】
そして、中継基板２２は、人感センサー電源基板４２と人感センサー基板２１との間のグランドライン４５をグランド配線３２に接続せずに中継している。
【００３３】
このようにすることで、中継基板２２内の駆動回路３１の導通電流（電源電流）は、駆動回路３１の動作状態に応じて変化し、フレームグランド抵抗Ｒｆｇに起因して、フレームグランド４３からみたグランド配線３２の電位を変動させるものの、中継基板２２内でのグランドライン４５の電位は、駆動回路３１の導通電流の変動の影響を受けずに済む。
【００３４】
次に、上記画像形成装置の動作について説明する。
【００３５】
図２に示すように、人感センサー電源基板４２のＤＣ／ＤＣコンバーター５２は、電源ライン４４およびグランドライン４５で、人感センサー基板２１の人感センサー５に駆動電圧Ｖｃｃ２を印加し電源電力を供給する。人感センサー５は、人体の有無に応じたレベルのセンサー信号を出力し、そのセンサー信号は増幅され、増幅後のセンサー信号がコントローラー４に供給される。コントローラー４は、供給されたセンサー信号のレベル（増幅後のレベル）に基づいて、人体の有無を判定する。
【００３６】
その際、電源ライン４４およびグランドライン４５は、中継基板２２上をパターン配線などとして通過しているが、駆動回路３１の導通電流（電源電流）が導通するグランド配線３２には接続されていないため、駆動回路３１の導通電流の変動に起因して人感センサー５のグランド側の電位が変動せずに済む。
【００３７】
以上のように、上記実施の形態によれば、人感センサー基板２１には人感センサー５が実装されており、人感センサー電源基板４２は、人感センサー５の駆動電圧を生成する。中継基板２２は、人感センサー電源基板４２と人感センサー基板２１との間の電源ライン４４およびグランドライン４５を中継している。人感センサー電源基板４２および中継基板２２は、それぞれ、フレームグランド４３に電気的に接続されている。そして、中継基板２２は、（ａ）人感センサー基板２１以外の別の内部装置を駆動する駆動回路３１と、フレームグランド４３に電気的に接続されたグランド配線３２とを備え、グランド配線３２を介して駆動回路３１の導通電流をフレームグランド４３に排出しており、（ｂ）人感センサー電源基板４２と人感センサー基板２１との間のグランドライン４５をグランド配線３２に接続せずに中継する。
【００３８】
これにより、人感センサー５の電源電圧（つまり、人感センサー５側での電源ライン４４とグランドライン４５との間の電圧）の変動が抑制され、人感センサー５の誤検出が抑制される。
【００３９】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００４０】
本発明は、例えば、操作パネルを有する画像形成装置に適用可能である。
【符号の説明】
【００４１】
３  操作パネル
５  人感センサー
１０  画像形成装置
２１  人感センサー基板
２２  中継基板
３１  駆動回路
３２  グランド配線
４２  人感センサー電源基板
４３  フレームグランド
４４  電源ライン
４５  グランドライン
【図１】
2020025236.tif 000003
【図２】
2020025236.tif 000004
【図３】
2020025236.tif 000005